(57)【要約】【課題】既存の筋交い部材と下桟部材をそのまま使用でき、この筋交い部材と下桟部材との連結を簡単な構成で作業性よく実施可能な筋交い下桟連結金具を提供する。【解決手段】仮設足場１１の隣り合う垂直パイプ１５、１６間に取り付けられた、筋交い部材１２と下桟部材１３とを連結する筋交い下桟連結金具１０であり、短尺の連結部材１８と、連結部材１８の長手方向両側にそれぞれ設けられた、筋交い部材１２に着脱可能な筋交い用取り付け部１９、及び、下桟部材１３に着脱可能な下桟用取り付け部２０とを有し、筋交い用取り付け部１９と下桟用取り付け部２０がそれぞれ、連結部材１８の長手方向に移動可能に設けられている。【選択図】図１
2018197450.tif 000002
【特許請求の範囲】
【請求項１】
仮設足場の隣り合う垂直パイプ間に取り付けられた、筋交い部材と下桟部材とを連結する筋交い下桟連結金具であって、
短尺の連結部材と、
前記連結部材の長手方向両側にそれぞれ設けられた、前記筋交い部材に着脱可能な筋交い用取り付け部、及び、前記下桟部材に着脱可能な下桟用取り付け部とを有し、
前記筋交い用取り付け部と前記下桟用取り付け部がそれぞれ、前記連結部材の長手方向に移動可能に設けられていることを特徴とする筋交い下桟連結金具。
【請求項２】
請求項１記載の筋交い下桟連結金具において、前記筋交い用取り付け部と前記下桟用取り付け部はそれぞれ断面Ｕ字状の固定部を備え、該固定部の内周曲面が前記筋交い部材と前記下桟部材の外周面にそれぞれ当接可能であることを特徴とする筋交い下桟連結金具。
【請求項３】
請求項２記載の筋交い下桟連結金具において、前記各固定部には、該固定部の内周曲面に前記筋交い部材又は前記下桟部材を押圧固定する締め付けボルトが設けられていることを特徴とする筋交い下桟連結金具。
【発明の詳細な説明】
【技術分野】
【０００１】
本発明は、建築や土木工事の現場に構築する仮設足場（組立足場）に用いる筋交い下桟連結金具に関する。
【背景技術】
【０００２】
建築や土木工事の現場では、所定の間隔で立設された複数の垂直パイプに水平パイプを取り付け、間隔を有して隣り合う水平パイプに足場板を架設して、建築途中の建物の周囲に作業者の作業床を形成する仮設足場が構築される。なお、隣り合う垂直パイプ間には、２本のブレース（筋交い部材）がＸ状に取り付けられ、連結強化が図られている。
しかし、２本のブレースを垂直パイプ間にＸ状に取り付けた場合、下側に大きな三角形状の空間が形成されるため、例えば、作業者が作業床上で足を滑らせた際に、作業者が空間から落下して重大事故を招いてしまう危険性があった。
【０００３】
このため、労働安全衛生規則（足場等）が改正され、ブレースに加え、下桟や幅木等、又は、手摺り枠を設置することが義務付けられた。
例えば、特許文献１には、両端に枠状開口部を備えたスライド金具が設けられた下桟（保護用桟）を、スライド金具を筋交い材のそれぞれの下端に挿通させることにより、筋交い材に対して摺動自在に取り付け、筋交い材と下桟とを一体化した技術が開示されている。なお、下桟の両端部には、スライド金具の枠状開口部からの筋交い材の引き抜けを阻止するため、抜け止め用金具が取り付けられている。
【先行技術文献】
【特許文献】
【０００４】
【特許文献１】特開平１１−２２３０１１号公報
【発明の概要】
【発明が解決しようとする課題】
【０００５】
しかしながら、特許文献１に記載の下桟は、その両端にスライド金具が設けられた構成であるため、例えば、スライド金具が設けられていない既存の下桟を使用できず、新たに購入しなければならなかった。
また、仮設足場の構築に際しては、スライド金具を筋交い材に挿通させ、長尺の下桟を筋交い材に取り付けた状態で、筋交い材を垂直パイプに取り付けなければならず、作業性が悪かった。
更に、抜け止め用金具は、かしめ用リベットを用いて下桟に固定する必要があるため、仮設足場を構築又は解体する際の作業性が悪かった。
【０００６】
本発明はかかる事情に鑑みてなされたもので、既存の筋交い部材と下桟部材をそのまま使用でき、この筋交い部材と下桟部材との連結を簡単な構成で作業性よく実施可能な筋交い下桟連結金具を提供することを目的とする。
【課題を解決するための手段】
【０００７】
前記目的に沿う本発明に係る筋交い下桟連結金具は、仮設足場の隣り合う垂直パイプ間に取り付けられた、筋交い部材と下桟部材とを連結する筋交い下桟連結金具であって、
短尺の連結部材と、
前記連結部材の長手方向両側にそれぞれ設けられた、前記筋交い部材に着脱可能な筋交い用取り付け部、及び、前記下桟部材に着脱可能な下桟用取り付け部とを有し、
前記筋交い用取り付け部と前記下桟用取り付け部がそれぞれ、前記連結部材の長手方向に移動可能に設けられている。
【０００８】
本発明に係る筋交い下桟連結金具において、前記筋交い用取り付け部と前記下桟用取り付け部はそれぞれ断面Ｕ字状の固定部を備え、該固定部の内周曲面が前記筋交い部材と前記下桟部材の外周面にそれぞれ当接可能であることが好ましい。
ここで、前記各固定部には、該固定部の内周曲面に前記筋交い部材又は前記下桟部材を押圧固定する締め付けボルトが設けられているのがよい。
【発明の効果】
【０００９】
本発明に係る筋交い下桟連結金具は、連結部材と、筋交い用取り付け部と、下桟用取り付け部とを有し、筋交い用取り付け部と下桟用取り付け部が連結部材の長手方向に移動可能に設けられているので、従来使用している既存の筋交い部材と下桟部材への取り付けが可能である。
従って、既存の筋交い部材と下桟部材をそのまま使用でき、この筋交い部材と下桟部材との連結（筋交い部材と下桟部材との一体化）を簡単な構成で作業性よく実施できる。
【図面の簡単な説明】
【００１０】
【図１】本発明の一実施の形態に係る筋交い下桟連結金具の使用時の説明図である。
【図２】同筋交い下桟連結金具のブレースと下桟手摺への取り付け状態を示す説明図である。
【図３】同筋交い下桟連結金具の正面図である。
【図４】同筋交い下桟連結金具の平面図である。
【図５】同筋交い下桟連結金具の底面図である。
【図６】同筋交い下桟連結金具の左側面図である。
【図７】同筋交い下桟連結金具の右側面図である。
【発明を実施するための形態】
【００１１】
続いて、添付した図面を参照しつつ、本発明を具体化した実施の形態につき説明し、本発明の理解に供する。
図１、図２に示すように、本発明の一実施の形態に係る筋交い下桟連結金具（以下、単に連結金具ともいう）１０は、仮設足場１１を構成する既存のブレース（筋交い部材の一例）１２と下桟手摺（下桟部材の一例）１３を改良することなくそのまま使用でき、このブレース１２と下桟手摺１３との連結を簡単な構成で作業性よく実施可能なものである。以下、詳しく説明する。
【００１２】
仮設足場１１は、地面に対して立設された単位垂直パイプ群１４を有している。
この単位垂直パイプ群１４は、仮設足場１１を周囲に構築する対象物（図示しない）の壁面に沿って、予め設定された間隔で配置された対となる第１、第２の垂直パイプ１５、１６を、壁面と直交する方向（奥行き方向）に予め設定された間隔で、２組平行に有するものである。ここで、対となる第１の垂直パイプ１５と第２の垂直パイプ１６は、長尺の水平パイプ（図示しない）で連結され、隣り合う第１の垂直パイプ１５同士と隣り合う第２の垂直パイプ同士１６はそれぞれ、短尺の水平パイプ（図示しない）で連結される。
【００１３】
上記した単位垂直パイプ群１４は、通常、対象物の周囲に、複数連続して設置することで使用するが、例えば、１つで使用することもできる。
間隔を有して隣り合う短尺の水平パイプには、長方形の金属製の足場板１７が掛け渡されている。このため、足場板１７は、平面視して、隣り合う第１の垂直パイプ１５と第２の垂直パイプ１６、隣り合う第１の垂直パイプ１５と第１の垂直パイプ１５、及び、隣り合う第２の垂直パイプ１６と第２の垂直パイプ１６で囲まれる領域内に、配置されることになる。
【００１４】
隣り合う（対となる）第１の垂直パイプ１５と第２の垂直パイプ１６との間には、ブレース１２が取り付けられている。
ブレース１２は、断面円形の金属製の棒材（例えば、φ２１．７等）で構成されたものであり、２本を１組として第１、第２の垂直パイプ１５、１６間に取り付けられている。具体的には、２本のブレース１２は、一方のブレース１２の軸心方向の一端部が第１の垂直パイプ１５に、軸心方向の他端部が第２の垂直パイプ１６に、他方のブレース１２の軸心方向の一端部が第２の垂直パイプ１６に、軸心方向の他端部が第１の垂直パイプ１５に取り付けられて、それぞれ斜めに配置され、中央で交差した状態（Ｘ状）となっている。
【００１５】
更に、隣り合う第１の垂直パイプ１５と第２の垂直パイプ１６との間には、下桟手摺１３も取り付けられている。
下桟手摺１３は、円筒状の金属製のパイプ（例えば、φ２１．７、φ２５．４、φ２７．２等）で構成されたものであり、第１、第２の垂直パイプ１５、１６間に水平状態で取り付けられている。具体的には、下桟手摺１３の軸心方向の一端部が第１の垂直パイプ１５に、軸心方向の他端部が第２の垂直パイプ１６に、各ブレース１２の下端部の高さ位置に合わせて取り付けられている。
【００１６】
上記したＸ状に配置された各ブレース１２の下側端部と、下桟手摺１３の軸心方向両端部とが近接する領域（図１に示す下側隅部）には、図１に示すように、筋交い下桟連結金具１０が取り付けられている。なお、図１においては、２本のブレース１２と１本の下桟手摺１３が取り付けられた一区画のみを図示しているが、実際には、図１に示す構成が、上下方向と幅（左右）方向に連続している。
この筋交い下桟連結金具１０は、図２〜図７に示すように、連結部材１８と、連結部材１８の長手方向両側にそれぞれ設けられた、筋交い用取り付け部１９、及び、下桟用取り付け部２０とを有するものである。
【００１７】
上記した連結部材１８は、ＳＰＨＣ（熱間圧延鋼板）製であるが、使用環境等に応じて、他の鋼材（例えば、普通鋼、炭素鋼、高張力鋼）で構成することもできる。
この連結部材１８は、厚みが、例えば３〜６ｍｍ程度（ここでは、４．５ｍｍ）の板状のものである。なお、連結部材１８の長さは、ブレース１２と下桟手摺１３とを、上記した領域（図１に示す下側隅部）で連結可能な長さ（短尺）であれば特に限定されるものではなく、例えば、ブレース１２と下桟手摺１３とのなす角（間隔）等に応じて、１００〜３００ｍｍ程度（好ましくは下限が１５０ｍｍ、上限が２５０ｍｍ程度）の範囲内（ここでは、２１０ｍｍ）で設定できる。
【００１８】
連結部材１８の長手方向両側には、その長手方向に沿った長孔（貫通孔）２１、２２が形成され、この長孔２１、２２を介して、連結部材１８の一面側（図２では右側）に筋交い用取り付け部１９が、他面側（図２では左側）に下桟用取り付け部２０が、それぞれ設けられている。この筋交い用取り付け部１９はブレース１２に着脱可能なものであり、下桟用取り付け部２０は下桟手摺１３に着脱可能なものである。
なお、筋交い用取り付け部１９と下桟用取り付け部２０は略同様の構成であるため、以下、主として筋交い用取り付け部１９について説明する。
【００１９】
図２〜図７に示すように、筋交い用取り付け部１９は、ＳＰＨＣ（熱間圧延鋼板）製の固定部２３を有している。なお、固定部は、使用環境等に応じて他の鋼材（例えば、普通鋼、炭素鋼、高張力鋼）で構成することもできる。
固定部２３は、断面がＵ字状となっており、このＵ字状となった固定部２３の内周曲面２４の一部（全部でもよい）が、使用にあっては、ブレース１２の外周面２５に当接する部分となる（図２参照）。このため、固定部２３の内周曲面２４の曲率半径は、ブレース１２の半径よりも大きくなっている。
【００２０】
なお、下桟用取り付け部２０の固定部２３も同様に、Ｕ字状となった固定部２３の内周曲面２４の一部（全部でもよい）が、使用にあっては、下桟手摺１３の外周面２６に当接する部分となる（図２参照）。
この固定部２３の内周曲面２４の曲率半径は、取り付け対象となる下桟手摺のうち、外径が最も大きな下桟手摺の半径よりも大きくなっているため、外径が異なる複数種類の下桟手摺への取り付けに対応できる。なお、取り付け対象となる下桟手摺の半径ごとに、内周曲面の曲率半径が異なる複数種類の固定部を用意してもよい。
【００２１】
Ｕ字状となった固定部２３の開口側端部は、円筒材２７で連結されている。具体的には、円筒材２７の軸心方向両端部を、固定部２３の両端部にそれぞれ形成された貫通孔２８に嵌入させ、溶接により取り付け固定している。
この円筒材２７には、連結部材１８の他面側から長孔２１に差し込んだ連結用ボルト２９が、回転可能かつ軸心方向に移動可能な状態で挿通され、円筒材２７から突出した連結用ボルト２９の先部にロックナット３０が取り付けられている。なお、符号３１は座金である。
これにより、固定部２３は、長孔２１に沿って、連結部材１８の長手方向（図２では上下方向）に移動可能になると共に、連結部材１８に対して回転自在になる。
【００２２】
固定部２３の湾曲側には、ブレース１２の締め付けボルト３２が設けられている。
固定部２３の湾曲側の側壁３３には貫通孔３４が形成され、この貫通孔３４と軸心を合わせて湾曲側の側壁３３に外側から、締め付けボルト３２に螺合するナット３５が取り付け固定されている。なお、ナット３５の取り付け位置（貫通孔３４の形成位置）は、ブレース１２の外周面２５に締め付けボルト３２の先端部が当接し、ブレース１２を固定部２３の内周曲面２４と締め付けボルト３２とで、挟み込み可能な位置に設定されている。
これにより、締め付けボルト３２を回して締め付けることで、ブレース１２を固定部２３の内周曲面２４に押圧固定できる。
【００２３】
続いて、本発明の一実施の形態に係る筋交い下桟連結金具１０の使用方法（仮設足場１１の構築方法と解体方法）について、図１、図２を参照しながら説明する。
仮設足場１１は、以下の方法で、対象物の周囲に構築する。
まず、２対の第１、第２の垂直パイプ１５、１６の立設と、この第１、第２の垂直パイプ１５、１６への一対の長尺水平パイプと一対の短尺水平パイプの取り付けと、短尺水平パイプ間の足場板１７の掛け渡し等を行う。
【００２４】
次に、隣り合う第１の垂直パイプ１５と第２の垂直パイプ１６との間に、２本のブレース１２を、それぞれ傾斜させて交差するように取り付ける。
このブレース１２の取り付けに際しては、予め、２本のブレース１２の下側端部にそれぞれ、筋交い下桟連結金具１０の筋交い用取り付け部１９の固定部２３を取り付ける。
具体的には、固定部２３の内周曲面２４と円筒材２７とで形成される空間部３６に、ブレース１２の下側端部を挿通する。なお、この挿通は、固定部２３の湾曲側が上側となるように行う（固定部２３の内周曲面２４に、ブレース１２の外周面２５の上側が当接するように行う）。
【００２５】
続いて、隣り合う第１の垂直パイプ１５と第２の垂直パイプ１６との間に、下桟手摺１３を取り付ける。
この下桟手摺１３の取り付けに際しては、下桟手摺１３の軸心方向両端部にそれぞれ、筋交い下桟連結金具１０の下桟用取り付け部２０の固定部２３を取り付ける。
具体的には、固定部２３の内周曲面２４と円筒材２７とで形成される空間部３６に、下桟手摺１３の端部を挿通する。なお、この挿通は、固定部２３の湾曲側が上側となるように行う（固定部２３の内周曲面２４に、下桟手摺１３の外周面２６の上側が当接するように行う）。
【００２６】
隣り合う第１の垂直パイプ１５と第２の垂直パイプ１６との間に、ブレース１２と下桟手摺１３を取り付けた後は、筋交い下桟連結金具１０の取り付け位置を調整する。
具体的には、連結部材１８の長孔２１、２２に沿って筋交い用取り付け部１９と下桟用取り付け部２０をそれぞれ移動させながら、かつ、連結部材１８に対して筋交い用取り付け部１９と下桟用取り付け部２０をそれぞれ回動させながら（傾き角度を調整しながら）、ブレース１２に対する筋交い用取り付け部１９の取り付け位置の調整と、下桟手摺１３に対する下桟用取り付け部２０の取り付け位置の調整を行う。
【００２７】
上記した方法で、筋交い用取り付け部１９と下桟用取り付け部２０の取り付け位置を設定した後は、筋交い用取り付け部１９と下桟用取り付け部２０の各締め付けボルト３２を回して締め付ける。これにより、ブレース１２を筋交い用取り付け部１９の固定部２３の内周曲面２４に、下桟手摺１３を下桟用取り付け部２０の固定部２３の内周曲面２４に、それぞれ押圧固定できる。
なお、筋交い下桟連結金具１０は、ブレース１２と下桟手摺１３へ取り付けることができれば、上記した順序に限定されるものではない。
【００２８】
また、仮設足場１１の解体に際しては、上記した方法と逆の手順により行う。
具体的には、まず、筋交い用取り付け部１９と下桟用取り付け部２０の各締め付けボルト３２を回して緩める。次に、第１の垂直パイプ１５と第２の垂直パイプ１６から、下桟手摺１３とブレース１２を取り外す。これにより、下桟手摺１３とブレース１２から筋交い下桟連結金具１０を取り外せる。
そして、第１、第２の垂直パイプ１５、１６、長尺と短尺の各水平パイプ、及び、足場板１７等の解体を行う。
【００２９】
以上のことから、既存のブレース１２と下桟手摺１３をそのまま使用でき、このブレース１２と下桟手摺１３との連結を簡単な構成で作業性よく実施できる。
【００３０】
以上、本発明を、実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明の筋交い下桟連結金具を構成する場合も本発明の権利範囲に含まれる。
前記実施の形態においては、板状となった連結部材の異なる面側に、筋交い用取り付け部と下桟用取り付け部をそれぞれ設け、筋交い下桟連結金具をブレースと下桟手摺に取り付ける際の連結部材のねじれを抑制、更には防止した構成について説明したが、必要に応じて、連結部材の同一面側のみに、筋交い用取り付け部と下桟用取り付け部を設けることもできる。
【００３１】
また、前記実施の形態においては、筋交い用取り付け部と下桟用取り付け部がそれぞれ断面Ｕ字状の固定部を備えた構成について説明したが、筋交い下桟連結金具がブレースと下桟手摺に取り付け取り外し可能な構成であれば、特に限定されるものではない。
例えば、ブレースと下桟手摺の各外周面が当接する固定部の湾曲側の形状を、曲面で構成することなく、多角形状にしてもよい。また、ブレースと下桟手摺の各外周面が当接する固定部の内側周面に、ゴムや樹脂等で構成される滑り止め材を貼り付けてもよい。
更に、筋交い下桟連結金具を構成する連結部材と、筋交い用取り付け部及び下桟用取り付け部の各固定部については、必要に応じて、表面に亜鉛合金等のめっき処理を行うこともできる。
【符号の説明】
【００３２】
１０：筋交い下桟連結金具、１１：仮設足場、１２：ブレース（筋交い部材）、１３：下桟手摺（下桟部材）、１４：単位垂直パイプ群、１５、１６：垂直パイプ、１７：足場板、１８：連結部材、１９：筋交い用取り付け部、２０：下桟用取り付け部、２１、２２：長孔、２３：固定部、２４：内周曲面、２５、２６：外周面、２７：円筒材、２８：貫通孔、２９：連結用ボルト、３０：ロックナット、３１：座金、３２：締め付けボルト、３３：側壁、３４：貫通孔、３５：ナット、３６：空間部
【図１】
2018197450.tif 000003
【図２】
2018197450.tif 000004
【図３】
2018197450.tif 000005
【図４】
2018197450.tif 000006
【図５】
2018197450.tif 000007
【図６】
2018197450.tif 000008
【図７】
2018197450.tif 000009